(57)【要約】【課題】記録装置本体への装着に先立っての煩わしい給送用開口の手動による拡開操作を不要とし、外部からの異物の侵入や持ち運び時の被記録材の落下のおそれのない可搬型の記録装置に好適な給送用カセット等を提供する。【解決手段】多数枚の被記録材Ｐを積畳した状態で収容し得るカセット本体３３と、カセット本体３３の上部開口３４を閉塞する蓋体３５とを備え、記録装置本体３に対して着脱可能に設けられている。また蓋体３５はカセット本体３３の上部開口３４の先端寄りの範囲を覆い、被記録材Ｐの出し入れの際に開閉させて使用するメイン蓋体４６と、カセット本体３３の上部開口３４における装着側の一部の範囲と給送用開口６１を覆い、記録装置本体３に装着する際、カセット本体３３内に積畳されている最上位に位置する被記録材Ｐを給送できる程度に給送用開口６１を自動的に拡開し得るシャッタ蓋体５６とを備えている。【選択図】図６
2006232552.tif 000002
【特許請求の範囲】
【請求項１】
多数枚の被記録材を積畳した状態で収容し得るカセット本体と、カセット本体の上部開口を閉塞する蓋体とを備え、記録装置本体に対して着脱可能に設けられる給送用カセットであって、
前記蓋体は、カセット本体の上部開口の先端寄りの範囲を覆い被記録材の出し入れの際に開閉させて使用するメイン蓋体と、カセット本体の上部開口における装着側の一部の範囲及びカセット本体の装着側端面の上方に形成されている給送用開口を覆い、記録装置本体に装着する際、カセット本体内に積畳されている最上位に位置する被記録材を給送できる程度に給送用開口を自動的に拡開し得るシャッタ蓋体とを備えていることを特徴とする給送用カセット。
【請求項２】
請求項１において、前記シャッタ蓋体の開閉方向は被記録材の給送方向にほぼ沿った主にスライド方向に設定されていることを特徴とする給送用カセット。
【請求項３】
請求項１または２において、前記シャッタ蓋体とカセット本体との間には常時シャッタ蓋体を閉蓋方向に付勢する付勢手段が設けられており、当該付勢手段の付勢力がシャッタ蓋体をカセット本体の上部開口を狭める方向に移動させる水平成分と、シャッタ蓋体をカセット本体の装着側端面上方に形成されている給送用開口を狭める方向に移動させる垂直成分とを有するように前方斜め下方に向けて作用するように設定されていることを特徴とする給送用カセット。
【請求項４】
請求項１〜３のいずれか１項において、前記シャッタ蓋体は給送用カセットを記録装置本体に装着する際、記録装置本体の一部に当接することによって給送用開口を拡開する方向に前記装着動作と連動して移動するように構成されていることを特徴とする給送用カセット。
【請求項５】
請求項１〜４のいずれか１項において、前記カセット本体の装着側の底部には、被記録材を給送する際、積畳された被記録材の先端部を給送用ローラに向けて押し上げるホッパー板が設けられていることを特徴とする給送用カセット。
【請求項６】
請求項１〜５のいずれか１項において、前記メイン蓋体とシャッタ蓋体は閉蓋状態においてほぼ面一であり、カセット本体内に積畳された被記録材をほとんど露出部なく被覆し得るように構成されていることを特徴とする給送用カセット。
【請求項７】
請求項１〜６のいずれか１項において、前記メイン蓋体とシャッタ蓋体との間にはシャッタ蓋体の拡開方向への移動を可能にするための間隙が予め形成されており、シャッタ蓋体を拡開する際、シャッタ蓋体の端面が、対向するメイン蓋体の端面に当接することにより、あるいはシャッタ蓋体の一部がメイン蓋体の一部と重ね合わされることによって前記間隙が閉塞されるように構成されていることを特徴とする給送用カセット。
【請求項８】
多数枚の被記録材を積畳した状態で収容し得るカセット本体と、カセット本体の上部開口を閉塞する蓋体とを備え、記録装置本体に対して着脱可能に設けられる給送用カセットであって、
前記給送用カセットは記録装置本体に対して装着側端面を下にした傾斜姿勢で装着されることを特徴とする給送用カセット。
【請求項９】
多数枚の被記録材を積畳した状態で収容し得るカセット本体と、カセット本体の上部開口を閉塞する蓋体とを備える給送用カセットが着脱可能に設けられる記録装置であって、
前記給送用カセットとして請求項１〜７のいずれか１項に記載の給送用カセットを適用したことを特徴とする記録装置。
【請求項１０】
請求項９において、前記給送用カセットのメイン蓋体は、該給送用カセットを記録装置本体に装着した状態のまま開閉可能に形成され、該メイン蓋体を開くことで被記録材を補充可能に構成されていることを特徴とする記録装置。
【請求項１１】
多数枚の被記録材を積畳した状態で収容し得るカセット本体と、カセット本体の上部開口を閉塞する蓋体とを備える給送用カセットが着脱可能に設けられる記録装置であって、
前記給送用カセットは記録装置本体に対して装着側端面を下にした傾斜姿勢で装着されることを特徴とする記録装置。
【請求項１２】
請求項１１において、前記蓋体は請求項１に記載されたメイン蓋体とシャッタ蓋体から構成され、前記給送用カセットのメイン蓋体は、該給送用カセットを記録装置本体に装着した状態のまま開閉可能に形成され、該メイン蓋体を開くことで被記録材を補充可能に構成されていることを特徴とする記録装置。
【請求項１３】
請求項１０又は１２において、前記メイン蓋体の開状態を維持する支え部が記録装置本体側に設けられていることを特徴とする記録装置。
【請求項１４】
多数枚の被液体噴射材を積畳した状態で収容し得るカセット本体と、カセット本体の上部開口を閉塞する蓋体とを備える給送用カセットが着脱可能に設けられる液体噴射装置であって、
前記蓋体はカセット本体の上部開口の先端寄りの範囲を覆い、被液体噴射材の出し入れの際に開閉させて使用するメイン蓋体と、カセット本体の上部開口における装着側の一部の範囲及びカセット本体の装着側端面に形成されている給送用開口を覆い、液体噴射装置本体に装着する際、カセット本体内に積畳されている最上位に位置する被液体噴射材を給送できる程度に給送用開口を自動的に拡開し得るシャッタ蓋体とを備えていることを特徴とする液体噴射装置。
【発明の詳細な説明】
【技術分野】
【０００１】
本発明は、多数枚の被記録材を積畳した状態で収容し得るカセット本体と、カセット本体の上部開口を閉塞する蓋体とを備え、記録装置本体に対して着脱可能に設けられる給送用カセット及び該給送用カセットを備えた記録装置に関する。  
更に本発明はインク等の液体をそのヘッドから吐出（噴射）して被記録材（被液体噴射材）に記録を実行する（液体を付着する）インクジェット式記録装置などの液体噴射装置、該液体噴射装置において設けられる給送用カセットに関するものである。
【０００２】
ここで液体噴射装置とは、インクジェット式記録ヘッドが用いられ、該記録ヘッドからインクを吐出して被記録材に記録を行なうプリンタ、複写機およびファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
以下、インクジェット式記録装置あるいは液体噴射装置の一例であるインクジェットプリンタを例にとって説明する。  
インクジェットプリンタでは、一般にプリンタ本体の後部上方にプリンタ本体と一体の給送用トレイが設けられている。当該給送用トレイは、複数枚の用紙を積畳し得るように構成されていて前下がり傾斜姿勢で設けられている。しかし、給送用トレイ上にセットされた用紙をすべて使い切ることなく給送用トレイ上に用紙を残したままの状態で放置した場合には、当該用紙に癖が付いて次回印刷時にヘッド擦れ等による印刷汚れの発生を招いたり、用紙詰まり等の用紙搬送不良を発生させる。また、給送用トレイは、用紙が載置された状態では開放されているため、ゴミや塵等の異物が用紙に付着したり、プリンタ本体内部へ異物が侵入するおそれがある。
【０００４】
従って、多数枚の用紙を収容するには、プリンタ本体に対して着脱自在に設けられる更に容量の大きな給送用カセットの方が有効である。即ち、給送用カセットの場合には、多数枚の用紙を積畳した状態で収容し得るカセット本体と、カセット本体の上部開口を閉塞する蓋体とが設けられているため、未使用時の異物の侵入、付着は蓋体によって防止されている。また、給送用カセットは、少なくとも未使用状態では平置き状態で机の上等に置かれるためカセット本体上の用紙も水平な姿勢で支持されており、用紙に癖が付くこともない。
【０００５】
下記の特許文献１は、従来の給送用カセットの構造を開示している。即ち従来の給送用カセットは、プリンタ本体に装着する際、用紙の給送経路を確保するために予めユーザが手動で内部に位置する第一蓋体を上方に回動する操作が必要であった。また、第一蓋体を拡開すると、比較的大きな開口が出現し、外部からの異物の侵入、付着が心配されるし、拡開された第一蓋体の外観はデザイン的に見ても特に意味を有するものではなく、却ってインクジェットプリンタ全体の美感を損ねる要因ともなり兼ねない。
【０００６】
また、従来の給送用カセットは、プリンタ本体に装着された状態あるいは机の上等に載置された状態での使用を前提とするものであり、必ずしも持ち運びに適した構造とはなっていない。そのため、近時普及を見ている可搬型のインクジェットプリンタに対して上記従来の給送用カセットを適用した場合には、給送用カセットの持ち運び時に、給送用カセットの第一蓋体が勝手に開いてしまって、カセット本体内の用紙が落下してしまうおそれがある。従って、給送用カセットといっしょに用紙を持ち運ぶ場合には給送用カセットから用紙を取り出して、給送用カセットとを別々に保持して持ち運ばなければならず、煩雑な作業となってしまう。また、用紙の出し入れの際に、当然頻繁に用紙に触れることになるため、用紙汚れを招いたり、用紙の印刷特性を損なわせる要因ともなり得る。
【０００７】
【特許文献１】特開平２００２−３３２１２６号公報
【発明の開示】
【発明が解決しようとする課題】
【０００８】
そこで、本発明は、このような背景技術及び背景技術が抱えていた問題点の存在を踏まえて発案されたものであって、給送用カセットを記録装置本体に装着するに先立っての煩わしい給送用開口の手動による拡開操作を不要とし、外部からの異物の侵入や被記録材への異物の付着のおそれがなく、美観性も兼ね備えており、加えてそのまま持ち運んでも給送用カセットから被記録材の落下のおそれのない可搬型の記録装置及び液体噴射装置に好適な給送用カセット及び該給送用カセットを備えた記録装置及び液体噴射装置を提供することを課題とするものである。
【課題を解決するための手段】
【０００９】
上記課題を解決するために本発明の第１の態様に係る給送用カセットは、多数枚の被記録材を積畳した状態で収容し得るカセット本体と、カセット本体の上部開口を閉塞する蓋体とを備え、記録装置本体に対して着脱可能に設けられる給送用カセットであって、前記蓋体はカセット本体の上部開口の先端寄りの範囲を覆い被記録材の出し入れの際に開閉させて使用するメイン蓋体と、カセット本体の上部開口における装着側の一部の範囲及びカセット本体の装着側端面の上方に形成されている給送用開口を覆い、記録装置本体に装着する際、カセット本体内に積畳されている最上位に位置する被記録材を給送できる程度に給送用開口を自動的に拡開し得るシャッタ蓋体とを備えていることを特徴とするものである。
【００１０】
本発明の第１の態様によれば、蓋体がメイン蓋体とシャッタ蓋体の二部材によって構成されており、シャッタ蓋体の拡開量は被記録材の給送に支障のなり最低限の範囲に設定されているから、給送用開口からの異物の侵入や、被記録材への異物の付着のおそれは極めて少なくなっている。また、シャッタ蓋体は、給送用カセットを記録装置本体に装着する際、自動的に拡開し得る構成になっているため、従来必要とされていた煩わしい給送用開口の手動による拡開操作は不要となる。
【００１１】
本発明の第２の態様に係る給送用カセットは、第１の態様において、前記シャッタ蓋体の開閉方向は被記録材の給送方向にほぼ沿った主にスライド方向に設定されていることを特徴とするものである。  
本発明の第２の態様によれば、シャッタ蓋体を拡開した時と、閉塞した時とで外観の変化が小さく、記録装置全体の美感を損ねる事態も生じない。
【００１２】
本発明の第３の態様に係る給送用カセットは、第１または第２の態様において、前記シャッタ蓋体とカセット本体との間には常時シャッタ蓋体を閉蓋方向に付勢する付勢手段が設けられており、当該付勢手段の付勢力がシャッタ蓋体をカセット本体の上部開口を狭める方向に移動させる水平成分と、シャッタ蓋体をカセット本体の装着側端面上方に形成されている給送用開口を狭める方向に移動させる垂直成分とを有するように前方斜め下方に向けて作用するように設定されていることを特徴とするものである。
【００１３】
本発明の第３の態様によれば、シャッタ蓋体を閉蓋方向に付勢する付勢手段が設けられているから、給送用カセットは、記録装置に装着されていない未装着の状態及び給送用カセットを記録装置に装着するまでの装着途中の状態では、その給送用開口はシャッタ蓋体により常時閉塞された状態になっている。また、付勢手段の付勢方向が前方斜め下方に向けて作用するように設定されているから、カセット本体の上部開口とカセット本体の装着側端面の給送用開口とが同時に閉塞される。従って、給送用開口からの異物の侵入や被記録材への異物の付着はほとんど生じない。
【００１４】
本発明の第４の態様に係る給送用カセットは、第１〜第３のいずれか１つの態様において、前記シャッタ蓋体は給送用カセットを記録装置本体に装着する際、記録装置本体の一部に当接することによって給送用開口を拡開する方向に前記装着動作と連動して移動するように構成されていることを特徴とするものである。  
本発明の第４の態様によれば、給送用カセットを記録装置本体に装着すると同時にシャッタ蓋体を自動的に移動させ、給送用開口を拡開することができる。従って、従来必要とされていた煩わしい手動による給送用開口の拡開操作は不要となる。
【００１５】
本発明の第５の態様に係る給送用カセットは、第１〜第４のいずれか１つの態様において、前記カセット本体の装着側の底部には、被記録材を給送する際、積畳された被記録材の先端部を給送用ローラに向けて押し上げるホッパー板が設けられていることを特徴とするものである。  
本発明の第５の態様によれば、給送用カセットを記録装置本体に装着することにより、記録装置本体側に設けられるホッパー押上げカムによる駆動力がホッパー板に伝達され、ホッパー板を上方に回動させてカセット本体内の被記録材の先端部を上方に位置する給送用ローラに向けて押し上げることができる。また、ホッパー板はカセット本体の底面の一部を構成しているため、外部からの異物の侵入を防止する作用も併せ持っている。尚、ホッパー板は、カットされたシート状被記録材の給送用カセットに特有の構成であり、被記録材がボビン状に巻かれた長尺のテープであるビデオカセット等には見られない構成となっている。
【００１６】
本発明の第６の態様に係る給送用カセットは、第１〜第５のいずれか１つの態様において、前記メイン蓋体とシャッタ蓋体は閉蓋状態においてほぼ面一であり、カセット本体内に積畳された被記録材をほとんど露出部なく被覆し得るように構成されていることを特徴とするものである。  
本発明の第６の態様によれば、閉蓋状態では、メイン蓋体とシャッタ蓋体は一体の蓋体として認識できるから、給送用カセットの美感を損ねることなく、給送用カセットを記録装置本体に対して装着する際にも支障にならない。また、メイン蓋体とシャッタ蓋体とにより、被記録材は、ほとんど露出部なく被覆されているから、給送用カセット内への異物の侵入も防止されている。
【００１７】
本発明の第７の態様に係る給送用カセットは、第１〜第６のいずれか１つの態様において、前記メイン蓋体とシャッタ蓋体との間にはシャッタ蓋体の拡開方向への移動を可能にするための間隙が予め形成されており、シャッタ蓋体を拡開する際、シャッタ蓋体の端面が、対向するメイン蓋体の端面に当接することにより、あるいはシャッタ蓋体の一部がメイン蓋体の一部と重ね合わされることによって前記間隙が閉塞されるように構成されていることを特徴とするものである。  
本発明の第７の態様によれば、シャッタ蓋体は、拡開時において平行にメイン蓋体の端面に向けて移動するか、メイン蓋体の肉厚分だけ僅かに上昇した後、メイン蓋体の外側面に近接した状態で平行に移動する。そのため、シャッタ蓋体は、拡開時及び拡開途中の状態でも給送用カセットの美感を害することなく、給送用カセット内への異物の侵入が防止された構造になっている。
【００１８】
本発明の第８の態様に係る給送用カセットは、多数枚の被記録材を積畳した状態で収容し得るカセット本体と、カセット本体の上部開口を閉塞する蓋体とを備え、記録装置本体に対して着脱可能に設けられる給送用カセットであって、前記給送用カセットは記録装置本体に対して装着側端面を下にした傾斜姿勢で装着されることを特徴とするものである。
【００１９】
本発明の第８の態様によれば、記録装置本体に対して固定状態で設けられる給送用トレイの代わりとして、更に大容量の給送用カセットを使用でき、給送用トレイの機能を損なうことなく、むしろ給送用トレイの機能を向上させた形で給送用トレイを省略することが可能となる。また、給送用トレイ用の給送用ローラや給送経路をそのまま使用できるから、給送用カセットの給送機能を別途設ける必要がなく、小型、軽量で持ち運びに便利な記録装置を提供できるようになる。
【００２０】
本発明の第９の態様に係る記録装置は、多数枚の被記録材を積畳した状態で収容し得るカセット本体と、カセット本体の上部開口を閉塞する蓋体とを備える給送用カセットが着脱可能に設けられる記録装置であって、前記給送用カセットとして第１〜第７のいずれか１つの態様に記載の給送用カセットを適用したことを特徴とするものである。
【００２１】
本発明の第９の態様によれば、蓋体がメイン蓋体とシャッタ蓋体の二部材によって構成されており、シャッタ蓋体の拡開量は、被記録材の給送に支障のなり最低限の範囲に設定されているから、給送用開口からの異物の侵入や、被記録材への異物の付着のおそれは極めて少なくなっている。またシャッタ蓋体は、給送用カセットを記録装置本体に装着する際、自動的に拡開し得る構成になっているため、従来必要とされていた煩わしい給送用開口の手動による拡開操作は不要となる。また給送用カセットは、持ち運び時において不用意に被記録材が落下することのない構造になっているから、可搬型の記録装置にも充分対応できる。
【００２２】
本発明の第１０の態様に係る記録装置は、第９の態様において、前記給送用カセットのメイン蓋体は、該給送用カセットを記録装置本体に装着した状態のまま開閉可能に形成され、該メイン蓋体を開くことで被記録材を補充可能に構成されていることを特徴とするものである。  
本発明の第１０の態様によれば、給送用カセットを記録装置本体に装着した状態のままメイン蓋体を開いて被記録材を補充することができるので、被記録材の補充に際して当該給送用カセットを記録装置本体からその都度外さなくても行うことができ、該記録装置は操作性が良い。
【００２３】
本発明の第１１の態様に係る記録装置は、多数枚の被記録材を積畳した状態で収容し得るカセット本体と、カセット本体の上部開口を閉塞する蓋体とを備える給送用カセットが着脱可能に設けられる記録装置であって、前記給送用カセットは記録装置本体に対して装着側端面を下にした傾斜姿勢で装着されることを特徴とするものである。  
本発明の第１１の態様によれば、記録装置本体に対して固定状態で設けられる給送用トレイの代わりとして、更に大容量の給送用カセットを使用でき、給送用トレイの機能を損なうことなく、むしろ給送用トレイの機能を向上させた形で給送用トレイを省略することが可能となる。また、給送用トレイ用の給送用ローラや給送経路をそのまま使用できるから、給送用カセットの給送機能を別途設ける必要がなく、小型、軽量で持ち運びに便利な記録装置を提供できるようになる。
【００２４】
本発明の第１２の態様に係る記録装置は、第１１の態様において、前記蓋体は前記第１の態様に記載されたメイン蓋体とシャッタ蓋体から構成され、前記給送用カセットのメイン蓋体は、蓋給送用カセットを記録装置本体に装着した状態のまま開閉可能に形成され、該メイン蓋体を開くことで被記録材を補充可能に構成されていることを特徴とするものである。本態様によれば、前記第１０の態様と同様の作用効果を得ることができる。
【００２５】
本発明の第１３の態様に係る記録装置は、第１０の態様または第１２の態様において、前記メイン蓋体の開状態を維持する支え部が記録装置本体側に設けられていることを特徴とするものである。本態様によれば、被記録材の補充に際して、開いたメイン蓋体のその開状態を安定且つ確実に維持することができる。
【００２６】
本発明の第１４の態様に係る液体噴射装置は、多数枚の被液体噴射材を積畳した状態で収容し得るカセット本体と、カセット本体の上部開口を閉塞する蓋体とを備える給送用カセットが着脱可能に設けられる液体噴射装置であって、前記蓋体はカセット本体の上部開口の先端寄りの広い範囲を覆い、被液体噴射材の出し入れの際に開閉させて使用するメイン蓋体と、カセット本体の上部開口における装着側の一部の範囲及びカセット本体の装着側端面に形成されている給送用開口を覆い、液体噴射装置本体に装着する際、カセット本体内に積畳されている最上位に位置する被液体噴射材を給送できる程度に給送用開口を自動的に拡開し得るシャッタ蓋体とを備えていることを特徴とするものである。
【発明を実施するための最良の形態】
【００２７】
以下、本願発明に係る給送用カセット、該給送用カセットを備えた液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２８】
図１はインクジェットプリンタの内部構造の概略を示す側断面図である。尚、ここで説明するインクジェットプリンタ１００は、比較的小型、軽量で持ち運びに適したシンプルな構成の可搬型のインクジェットプリンタである。先ず最も搬送方向上流側に位置するのが本発明の給送用カセット１である。給送用カセット１は、図１に示すようにプリンタ本体３の後部上方寄りに前下がり傾斜姿勢で設けられている。従って、プリンタ本体３には常設の給送用トレイは設けられておらず、給送用トレイとしての機能を給送用カセット１が担っている。
【００２９】
給送用カセット１内に収容された多数枚の積畳された被液体噴射材の一例である被記録材Ｐ（以下単に用紙Ｐともいう）は、給送用カセット１の先端部下方に設けられるホッパー押上げカム３０によってホッパー板１６を介して用紙Ｐの先端部が上方に押し上げられる。従って、用紙Ｐの先端部は、ホッパー板１６と、上方に位置する給送用ローラ１４とによって挟圧され、給送用ローラ１４の回転軸１７を中心として回転に伴う挟圧送り作用によって、給送用カセット１内に積畳された上位の用紙Ｐが搬送経路に向けて引き出される。
【００３０】
また、引き出された用紙Ｐが複数枚に亘る場合には、重送された後続の用紙Ｐを最上位の用紙Ｐから分離する分離作用部の一例である図示しない分離パッドと、分離された後続の用紙Ｐを給送用カセット１内に戻す戻しレバー３１とによって、最上位の１枚の用紙Ｐのみが選択されて搬送経路に導かれる。
【００３１】
給送用ローラ１４の下方には、前方（図１中、左方）に向けて低くなるように傾斜する搬送ガイド３２が設けられている。給送用ローラ１４とホッパー板１６とによる挟圧送り作用によって引き出された最上位の用紙Ｐは、上記搬送ガイド３２によって案内されて搬送用ローラ１９の上方に導かれる。また、搬送用ローラ１９の手前の搬送方向上流側には、用紙Ｐの通過を検出する被液体噴射材検出手段の一例である図示しない被記録材検出手段（以下単に検出レバーという）が設けられている。
【００３２】
搬送用ローラ１９の搬送方向下流側には記録ポジション２６が形成されている。記録ポジション２６には、用紙Ｐに記録を実行する液体噴射実行手段の一例である記録実行手段の主たる構成要素として、主走査方向Ｘに往復可能に走行し得るキャリッジガイド軸１２によって軸支されたキャリッジ１０が設けられている。そして、該キャリッジ１０の下面には、用紙Ｐに液体の一例であるインクを吐出（噴射）して記録を直接実行する液体噴射ヘッドの一例である記録ヘッド１３が搭載されている。また、キャリッジ１０には液体カートリッジの一例である図示しないインクカートリッジが装着されている。
【００３３】
記録ヘッド１３の下方には、記録ヘッド１３と対向して記録ヘッド１３のヘッド面と用紙Ｐとの間のプラテンギャップＰＧを規定するプラテン２８が設けられている。そして、キャリッジ１０とプラテン２８との間に、用紙Ｐを主走査方向Ｘと直交する副走査方向Ｙに所定の搬送量で搬送する動作と、記録ヘッド１３を主走査方向Ｘに一往復させる間に記録ヘッド１３から用紙Ｐにインクを噴射する動作とを交互に繰り返すことによって、用紙Ｐの記録面の全面に亘っての所望の記録が実行される。尚、上記プラテンギャップＰＧは、高精度の記録を実行する上で極めて重要な要素となっており、用紙Ｐの厚さの変化等に応じて適宜調節されるようになっている。
【００３４】
記録ヘッド１３の下流には、排出用駆動ローラ２０ａと、排出用従動ローラ２０ｂとによって構成される被液体噴射材排出手段の一例である排出用ローラ２０が設けられている。このうち排出用従動ローラ２０ｂは、その外周に複数の歯を有する歯付きローラであり、ローラホルダ２１によって自由回転可能な状態で軸支されている。また、排出用従動ローラ２０ｂは、排出用駆動ローラ２０ａよりその軸芯位置が幾分搬送方向上流側に位置するように配設されている。このような配設態様を採ることによって、用紙Ｐは僅かに下に凸となる俗に「逆ぞり」と呼ばれている湾曲状態が形成される。これにより、記録ヘッド１３に対向する位置に存する用紙Ｐの部位はプラテン２８に押し付けられ、用紙Ｐの浮き上がりが防止されて正常に記録が実行されるようになっている。
【００３５】
［実施例］
次に、このようなインクジェットプリンタ１００におけるプリンタ本体３に対して着脱自在に設けられる本願発明に係る給送用カセット１について説明する。  
図２は給送用カセットの閉蓋時の外観を示す斜視図、図３は給送用カセットのメイン蓋体拡開時の外観を示す斜視図である。図４は給送用カセットの分解斜視図である。図５は給送用カセットの装着前の状態を示す平面図（ａ）と、Ａ−Ａ断面図（ｂ）と、付勢手段の付勢方向を示す分力図（ｃ）である。図６は給送用カセットの装着後の状態を示す平面図（ａ）と、Ｂ−Ｂ断面図（ｂ）である。図７は給送用カセットをプリンタ本体に装着する直前の状態を示す斜め前方からの斜視図である。また図８はシャッタ蓋体の端面がプリンタ本体に当接した瞬間の状態を示す斜視図（ａ）と、当接後給送用開口が拡開された状態を示す斜視図（ｂ）である。
【００３６】
本発明の給送用カセット１は、多数枚の用紙Ｐを積畳した状態で収容し得るカセット本体３３と、カセット本体３３の上部開口３４を閉塞する蓋体３５とを備えている。カセット本体３３は、図４に示すように上面が開放された浅底のトレイ状の容器である。カセット本体３３の装着側端面３６の中央部及び装着側端面３６に連接する底板３７の中央部には、切欠部３８、３９が形成されていて、プリンタ本体３側に設けられる給送用ローラ１４とホッパー押上げカム３０とを受け入れることができるようになっている。また、切欠部３９を閉塞するように装着側端面３６寄りの底板３７の中央部上面には、ホッパー板１６が上方に回動し得るように揺動自在に設けられており、ホッパー板１６の先端寄り中央部には、高摩擦材４０が貼設されている。
【００３７】
また、カセット本体３３の底板３７上には、カセット本体３３内に収容される用紙Ｐの左右の側縁（エッジ）を保持して案内する可動エッジガイド機構４１が設けられている。可動エッジガイド機構４１は、左右のエッジガイド４２、４３が同ストロークずつ逆方向に接近離反する機構で、左右のエッジガイド４２、４３に設けられる図示しない２本のラックと、これらのラックに噛み合うピニオンギヤ４４とを有するラックピニオン機構を一例として備えている。また、カセット本体３３の先端側端面（装着側端面３６と反対側の端面）４５の中央部には、次に述べるメイン蓋体４６の自由端側先端部と係合する係合爪４７を備えた係合解除ボタン４８が取り付けられている。
【００３８】
また、カセット本体３３の左右の側板４９は、装着側の部位が幾分内側に位置するように段差状に設けられており、当該内側に退去した部分が内側板５０、外側に位置する側板４９との境界部が回動規制度当板５１となっている。内側板５０の外側面には、上部に回動穴５２と係合ピン５３、下部にガイドリブ５４が設けられている。回動穴５２は、回動規制度当板５１寄りの部分に設けられていて、メイン蓋体４６の回動支点となる回動ピン５５と外嵌される。係合ピン５３は、内側板５０の中央付近の部位に設けられていて、後述するシャッタ蓋体５６に設けられる係合長穴５７と係合する。また、前記ガイドリブ５４は、プリンタ本体３の背面側上部に設けられているガイド溝５８と係合し、給送用カセット１の装着を案内すると共に、給送用カセット１の前下がり傾斜姿勢での保持状態を維持する。また、前記回動規制度当板５１は、メイン蓋体４６に設けられる回動規制板５９の規制面６０が当接することにより、メイン蓋体４６の回動角度を規制する役割を担っている。
【００３９】
一方、蓋体３５は、カセット本体３３の上部開口３４の先端寄りの広い範囲を覆うメイン蓋体４６と、カセット本体３３の上部開口３４における装着側の一部の範囲及びカセット本体３３の装着側端面３６の上方に形成される給送用開口６１を覆うシャッタ蓋体５６との二部材によって構成されている。メイン蓋体４６は、用紙Ｐの出し入れの際に開閉させて使用される装着側の端面と底面とが開放されたカバー様の部材である。メイン蓋体４６の先端側の端部中央には、上述した係合解除ボタン４８を受け入れる係合切欠部６２が形成されていて、係合切欠部６２の近傍には係合解除ボタン４８の係合爪４７と係合する係合受部６２ａが設けられている。
【００４０】
従って、用紙Ｐがカセット本体３３内に収容された使用状態では、係合爪４７が上記係合受部６２ａに係合することで、メイン蓋体４６は容易に拡開できないようになっており、メイン蓋体４６を拡開する場合には、係合解除ボタン４８を押して係合状態を解除してから行うように構成されている。また、回動ピン５５は、メイン蓋体４６の側板を装着側に延長形成した回動規制板５９の内側面に対して設けられている。回動規制板５９は、一例として、先端が円弧状に端面加工された平板状の部材で、底面が上述した回動規制度当板５１に当接する規制面６０になっている。
【００４１】
シャッタ蓋体５６は、上面板６３と側板６４とから成っており、給送用カセット１をプリンタ本体３に装着する際、カセット本体３３内に積畳されている最上位の用紙Ｐを給送できる程度に給送用開口６１を拡開し得る、即ち必要以上に給送用開口６１を開けないで用紙Ｐを給送できるように構成されている。上面板６３の装着側の端部の中央には、切欠部６５が設けられている。この切欠部６５は、上述したカセット本体３３における装着側端面３６に形成されている切欠部３８と同様、給送用ローラ１４と干渉することなく給送用ローラ１４を受け入れることができるように設けられている。
【００４２】
また、側板６４には上述した係合長穴５７が設けられている。係合長穴５７は、途中で屈曲しており、屈曲点から装着側の部分が水平部６６、屈曲点から先端側の部分が上方に向けて傾斜している傾斜部６７となっている。また、上面板６３における側板６４寄りの装着側の端面と側板６４の装着側の端面は、給送用カセット１をプリンタ本体３に装着する際、プリンタ本体３の土手面６８に当接する当接面６９となっている。尚、土手面６８は、プリンタ本体３に設けられている給送用ローラ１４の回転軸１７を軸支する支持ブラケット７０の一部として設けられており、土手面６８の内側下方には、カセット本体３３の装着側端面３６に当接することで給送用カセット１の装着完了位置を設定する接置面７１が形成されている。
【００４３】
また、このようなシャッタ蓋体５６とカセット本体３３との間には、鉤状の係止フック７２、７３が設けられており、これら２つの係止フック７２と係止フック７３との間には、付勢手段の一例である引張りコイルばね７４が張設されている。この引張りコイルばね７４は、カセット本体３３の上部開口３４を狭める方向にシャッタ蓋体５６を移動させる水平成分Ｈと、シャッタ蓋体５６をカセット本体３３の装着側端面３６上方に形成されている給送用開口６１を狭める方向に移動させる垂直成分Ｖとを有するように、前方斜め下方に付勢力Ｆが作用するように傾斜姿勢が設けられている。
【００４４】
また、メイン蓋体４６とシャッタ蓋体５６は、閉蓋状態においてほぼ面一になるように設定されていて、閉蓋状態のメイン蓋体４６とシャッタ蓋体５６との間には、シャッタ蓋体５６の拡開方向への移動を可能にするための間隙Ｇが形成されている。尚、この間隙Ｇは、外部からの異物の侵入の心配のない最小限の範囲で形成されており、シャッタ蓋体５６を完全に拡開した状態では、シャッタ蓋体５６の一部がメイン蓋体４６の一部に重ね合わさって上記間隙Ｇを閉塞するようになっている。また、このようなシャッタ蓋体５６の拡開状態を可能にするため、シャッタ蓋体５６は、閉蓋状態ではメイン蓋体４６と面一であった高さ位置を徐々に上昇させて行き、拡開状態ではメイン蓋体４６の肉厚分上方に移動して、上述のシャッタ蓋体５６とメイン蓋体４６のオーバーラップ状態を得ているのである。
【００４５】
次に、本発明の給送用カセット１の作動態様を（１）持ち運ぶ場合と、（２）装着する場合、更に（３）被記録材を補充する場合に分けて説明する。
【００４６】
（１）持ち運ぶ場合（図５（ｂ）参照）
給送用カセット１を本来持ち運ぶ場合には、給送用カセット１を水平に保持して持ち運ぶのが好ましいが、本発明の給送用カセット１は、図５（ｂ）に示すように、給送用カセット１を垂直に吊り下げたような状態でも持ち運びが可能な構成になっている。即ち、シャッタ蓋体５６は、引張りコイルばね７４によって常時閉蓋方向に付勢されていることと、引張りコイルばね７４の付勢力Ｆが水平成分Ｈと垂直成分Ｖを持つように、引張りコイルばね７４が傾斜姿勢で張設されていることにより、図５（ｂ）中矢印で示す方向の慣性力が働いても容易に開かない構造になっている。
【００４７】
（２）装着する場合（図７、図８（ａ）（ｂ）参照）
給送用カセット１をプリンタ本体３に装着する場合には、図７に示すように、給送用カセット１のカセット本体３３における内側板５０に設けられているガイドリブ５４を、プリンタ本体３に設けられているガイド溝５８に係合させ、カセット本体３３の装着側端面３６が下になるような前下がり傾斜姿勢で、給送用カセット１を斜め下方に向けて押し込む。そして、図８（ａ）に示すように、給送用カセット１のシャッタ蓋体５６における当接面６９がプリンタ本体３の支持ブラケット７０に形成されている土手面６８に当接することで、シャッタ蓋体５６のそれ以上の移動は規制される。
【００４８】
更に、給送用カセット１を斜め下方に向けて押し込むと、カセット本体３３とメイン蓋体４６のみが引張りコイルばね７４の付勢力に抗して移動するようになり、図８（ｂ）に示すように、カセット本体３３の装着側端面３６が接置面７１に当接したところで給送用カセット１の装着が完了する。尚、この際シャッタ蓋体５６は、給送用カセット１の装着方向には移動できないが、カセット本体３３の装着方向への移動に伴って係合ピン５３の係合長穴５７に対する係合位置が変化するため、上記装着方向と直交する斜め上方に向けて移動する。従って、カセット本体３３と共に装着方向に移動するメイン蓋体４６は、シャッタ蓋体５６と干渉することなく、シャッタ蓋体５６と一部オーバーラップした状態で下方に移動し、相対的にシャッタ蓋体５６を移動させて給送用開口６１を拡開させる。
【００４９】
（３）被記録材を補充する場合（図１０、図１１）
図１０に示した給送用カセット１の装着状態で記録装置が使用され、給送用カセット１内に被記録材である用紙Ｐの補充が必要になったときは、図１１に示したように、給送用カセット１のメイン蓋体４６を、該給送用カセット１が記録装置本体３に装着された状態のまま開く。これによりカセット本体３３の上部開口３４が現れ、用紙Ｐを補充することができる。すなわち、用紙Ｐの補充に際して当該給送用カセット１を記録装置本体３からその都度外さなくても行うことができる。
【００５０】
この実施例では、メイン蓋体４６は、開いたとき、その一側縁下端部４が記録装置本体３側の対応する位置に設けられている支え部２に当接して支えられ、これにより、その開き角度で開状態を維持されるようになっている。  
ここで、図１１の開状態におけるメイン蓋体４６の開き角度は、給送用カセット１を記録装置本体３から取り外して図３に示したようにテーブルや台の上に水平に置いた状態において、前記回動規制度当板５１によって規制される開き最大角度より小さくなるように設定されている。その理由は、図１１に示したように給送用カセット１が記録装置本体３に装着された傾斜姿勢では、図３に示した水平姿勢よりも小さい開き角度で前記カセット本体３３の上部開口３４が用紙Ｐを補充し易い向きで現れるからである。
【００５１】
また、メイン蓋体４６を図１１に示した状態まで開けば、カセット本体３に配設されている可動エッジガイド機構４１（エッジガイド４２，４３）が露出する。従って、用紙Ｐの補充と共にエッジガイド機構４１を操作して用紙の桁方向の位置調整も行える。
【００５２】
以上説明したように、給送用カセット１を記録装置本体３に装着した状態のままメイン蓋体４６を開いて被記録材Ｐを補充することができるので、被記録材Ｐの補充に際して当該給送用カセット１を記録装置本体３からその都度外さなくても行うことができ、該記録装置は操作性が良い。
【００５３】
また、当該記録装置は、多数枚の被記録材Ｐを積畳した状態で収容し得るカセット本体３３と、カセット本体３３の上部開口３４を閉塞する蓋体３５とを備える給送用カセット１が着脱可能に設けられ、前記給送用カセット１は記録装置本体３に対して装着側端面を下にした傾斜姿勢で装着される構成である。  
この構成により、蓋体３５がメイン蓋体４６とシャッタ蓋体５６に分割されているといないとに係わらず、記録装置本体３に対して固定状態で設けられる通常の給送用トレイの代わりとして、更に大容量の給送用カセット１を使用することができる、従って、給送用トレイの機能を損なうことなく、むしろ給送用トレイの機能を向上させた形で給送用トレイを省略することが可能となると言える。また、給送用トレイ用の給送用ローラ１４や給送経路をそのまま使用できるから、給送用カセット１の給送機能を別途設ける必要がなく、小型、軽量で持ち運びに便利な記録装置を提供できる。
【００５４】
［他の実施例］
本願発明に係る給送用カセット１、該給送用カセット１を備えた記録装置１００及び液体噴射装置は、以上述べたような構成を基本とするものであるが、本願発明の要旨を逸脱しない範囲内の部分的構成の変更や省略等を行なうことも勿論可能である。図９は給送用カセットの他の実施例を示す平面図（ａ）と、Ｃ−Ｃ断面図（ｂ）である。例えばシャッタ蓋体５６の開閉方向は、図９に示すように用紙Ｐの給送方向と平行なスライド方向のみに設定することも可能である。但し、この場合において、間隙Ｇが大きくなって間隙Ｇからの異物の侵入のおそれが心配される場合には、図９に示すような間隙Ｇを常時遮蔽する遮蔽板７５をシャッタ蓋体５６の上面に貼設するようにする。
【図面の簡単な説明】
【００５５】
【図１】インクジェットプリンタの内部構造の概略を示す側断面図。
【図２】給送用カセットの閉蓋時の外観を示す斜視図。
【図３】給送用カセットのメイン蓋体拡開時の外観を示す斜視図。
【図４】給送用カセットの分解斜視図。
【図５】給送用カセットの装着前の状態を示す説明図。
【図６】給送用カセットの装着後の状態を示す説明図。
【図７】給送用カセットを装着する直前の前方からの斜視図。
【図８】給送用カセット装着時のシャッタ蓋体の作動態様を示す斜視図。
【図９】給送用カセットの他の実施例を示す説明図。
【図１０】給送用カセット装着時で閉蓋時の外観を示す斜視図。
【図１１】給送用カセット装着時で開蓋時の外観を示す斜視図。
【符号の説明】
【００５６】
１  給送用カセット、２  支え部、３  プリンタ本体（記録装置本体）、４  一側縁下端部、１０  キャリッジ、１２  キャリッジガイド軸、１３  記録ヘッド、１４  給送用ローラ、１６  ホッパー板、１７  回転軸（給送用ローラの）、１９  搬送用ローラ、２０  排出用ローラ、２０ａ  排出用駆動ローラ、２０ｂ  排出用従動ローラ、２１  ローラホルダ（排出用従動ローラ）、２６  記録ポジション、２８  プラテン、３０  ホッパー押上げカム、３１  戻しレバー、３２  搬送ガイド、３３  カセット本体、３４  上部開口、３５  蓋体、３６  装着側端面、３７  底板、３８  切欠部（装着側端面の）、３９  切欠部（底板の）、４０  高摩擦材、４１  可動エッジガイド機構、４２  エッジガイド（左）、４３  エッジガイド（右）、４４  ピニオンギヤ、４５  先端側端面、４６  メイン蓋体、４７  係合爪、４８  係合解除ボタン、４９  側板、５０  内側板、５１  回動規制度当板、５２  回動穴、５３  係合ピン、５４  ガイドリブ、５５  回動ピン、５６  シャッタ蓋体、５７  係合長穴、５８  ガイド溝、５９  回動規制板、６０  規制面、６１  給送用開口、６２  係合切欠部、６２ａ  係合受部、６３  上面板、６４  側板、６５  切欠部（シャッタ蓋体の）、６６  水平部、６７  傾斜部、６８  土手面、６９  当接面、７０  支持ブラケット、７１  接置面、７２  係止フック（シャッタ蓋体の）、７３  係止フック（カセット本体の）、７４  引張りコイルばね（付勢手段）、７５  遮蔽板、１００  インクジェットプリンタ（記録装置）、Ｐ  用紙（被記録材）、Ｘ  主走査方向、Ｙ  副走査方向、ＰＧ  プラテンギャップ、Ｈ  水平成分、Ｖ  垂直成分、Ｆ  付勢力、Ｇ  間隙
【図１】
2006232552.tif 000003
【図２】
2006232552.tif 000004
【図３】
2006232552.tif 000005
【図４】
2006232552.tif 000006
【図５】
2006232552.tif 000007
【図６】
2006232552.tif 000008
【図７】
2006232552.tif 000009
【図８】
2006232552.tif 000010
【図９】
2006232552.tif 000011
【図１０】
2006232552.tif 000012
【図１１】
2006232552.tif 000013